(57)【要約】【課題】電力供給源の切り換えをユーザに喚起することができる映像表示装置およびその制御方法を提供する。【解決手段】テレビジョン受信装置１００は、表示器３００と、バッテリ５５３と、外部電源に接続されるアダプタ５５１とを有する。ピークシフト制御部４０２は、受信した制御信号に応じて、テレビジョン受信装置１００の各部への電力供給源外部電源からバッテリ５５３に切り換え、外部電源からバッテリに切り換えるバッテリ駆動開始時刻をピークシフト履歴情報４５３として記憶する。ピークシフト制御部４０２は、バッテリ駆動開始時刻に基づき、電力供給源を外部電源からバッテリ５５３に切り換える否かを選択可能なピークシフト喚起画面３０１を表示器３００上に表示する。【選択図】  図３
2013076788.tif 000002
【特許請求の範囲】
【請求項１】
ディスプレイと、
バッテリと、
外部電源に接続されるアダプタと、
受信する制御信号に応じて、前記ディスプレイへの電力供給源を前記バッテリとするか前記外部電源とするかを切り換える電源制御手段と、
前記ディスプレイへの電力供給源を前記外部電源から前記バッテリに切り換えるバッテリ駆動開始時刻を記憶する記憶部と、
前記記憶部が記憶する前記バッテリ駆動開始時刻に基づき、電力供給源を前記外部電源から前記バッテリに切り換える否かを選択可能な表示画面を前記ディスプレイ上に表示する表示制御手段と
を備える映像表示装置。
【請求項２】
前記表示制御手段は、前記バッテリの残量が閾値以上であるか否かに応じて、前記選択可能な表示画面を表示するか否かを切り換える、
請求項１に記載の映像表示装置。
【請求項３】
前記表示制御手段は、前記選択可能な表示画面において前記外部電源とする旨が選択された場合は、前記選択可能な表示画面を次回以降表示しない、
請求項１に記載の映像表示装置。
【請求項４】
前記記憶部は、日付又は曜日に関する情報を含む前記バッテリ駆動開始時刻を記憶し、
前記表示制御手段は、前記バッテリ駆動開始時刻と同じ曜日に、前記選択可能な表示画面を表示する、
請求項１に記載の映像表示装置。
【請求項５】
前記バッテリが電力供給源である場合の前記ディスプレイの輝度を、前記外部電源が電力供給源である場合よりも低くするディスプレイ制御手段
を更に備える請求項１に記載の映像表示装置。
【請求項６】
ディスプレイへの電力供給源をバッテリとするか外部電源とするかを切り換える制御信号を受信し、
前記制御信号に応じて、前記ディスプレイへの電力供給源を前記バッテリとするか前記外部電源とするかを切り換え、
前記ディスプレイへの電力供給源を前記外部電源から前記バッテリに切り換えたバッテリ駆動開始時刻を記憶し、
記憶された前記バッテリ駆動開始時刻に基づき、電力供給源を前記外部電源から前記バッテリに切り換える否かを選択可能な表示画面を前記ディスプレイ上に表示する制御方法。
【発明の詳細な説明】
【技術分野】
【０００１】
本発明の実施形態は、映像表示装置およびその制御方法に関する。
【背景技術】
【０００２】
ノートブック型パーソナルコンピュータ（ＰＣ）や携帯情報端末（Ｐｅｒｓｏｎａｌ  Ｄａｔａ  Ａｓｓｉｓｔａｎｃｅ、ＰＤＡ）などの携帯可能な電子機器が種々開発されている。この種の電子機器は、ＡＣ商用電源が無い携帯時の使用と、オフィスや家庭内などにおける屋内での使用との双方を考慮し、バッテリとＡＣ電源のどちらでも駆動できるように構成されている。バッテリとしては、通常、ニッケル水素電池やリチウムイオン電池などの充電可能な二次電池が用いられる。商用電源あるいはバッテリを使用するかはＡＣアダプタの接続の有無で決まることが多い。ＰＣにＡＣアダプタが接続されている時は、ＰＣの電源供給元は、バッテリからＡＣアダプタに切り換えられるとともに、ＡＣアダプタによってバッテリの充電が行われる。ＡＣアダプタがＰＣから取り外されている間はバッテリが駆動電源として使用される。
【０００３】
近年は、電力供給会社の発電プラントから供給される電力に対する節電対策が話題となっている。発電プラントからの電力供給量に対して管轄地域の全体電力消費量が多くなると、停電が生じ、工場、病院、などで多大な被害を生じる恐れがある。
【０００４】
節電対策を講じたテレビジョン受信装置として、電力消費や蓄電量を予測して、主蓄電器から又は商用電源からの、駆動部への電力供給切換えて制御するものが開示されている（例えば、特許文献１）。
【先行技術文献】
【特許文献】
【０００５】
【特許文献１】特開２０１０−９３５３４号公報
【発明の概要】
【発明が解決しようとする課題】
【０００６】
テレビジョン受信装置において電力供給源を外部電源から内蔵電源に切り換える手法としては、外部から消費電力情報などを取得して切り換えるものと、ユーザからの切り換え指示に応じて切り換えるものとが考えられる。
【０００７】
外部からの消費電力情報を取得するようにテレビジョン受信装置を変更するためにはソフトウェアの大きな変更が必要となる。一方、ユーザからの切り換え指示による切り換えにおいては、ユーザが切り換え指示を行うことを失念することがあるため、消費電力ピーク時に内蔵電源に切り換えられていない場合が生じていた。
【０００８】
本発明の目的は、電力供給源の切り換えをユーザに喚起することができる映像表示装置およびその制御方法を提供することである。
【課題を解決するための手段】
【０００９】
実施形態によれば、映像表示装置は、ディスプレイと、バッテリと、外部電源に接続されるアダプタと、受信した制御信号に応じて、前記ディスプレイへの電力供給源を前記バッテリとするか前記外部電源とするかを切り換える電源制御手段と、前記ディスプレイへの電力供給源を前記外部電源から前記バッテリに切り換えるバッテリ駆動開始時刻を記憶する記憶部と、前記記憶部が記憶する前記バッテリ駆動開始時刻に基づき、電力供給源を前記外部電源から前記バッテリに切り換える否かを選択可能な表示画面を前記ディスプレイ上に表示する表示制御手段とを備える。
【００１０】
また、実施形態によれば、制御方法は、ディスプレイへの電力供給源をバッテリとするか外部電源とするかを切り換える制御信号を受信し、前記制御信号に応じて、前記ディスプレイへの電力供給源を前記バッテリとするか前記外部電源とするかを切り換え、前記ディスプレイへの電力供給源を前記外部電源から前記バッテリに切り換えたバッテリ駆動開始時刻を記憶し、記憶された前記バッテリ駆動開始時刻に基づき、電力供給源を前記外部電源から前記バッテリに切り換える否かを選択可能な表示画面を前記ディスプレイ上に表示する。
【図面の簡単な説明】
【００１１】
【図１】本実施形態によるテレビジョン受信装置の全体構成の代表的な一例を示すブロック図。
【図２】本実施形態におけるテレビジョン受信装置の電力供給源の切り換えを説明する図。
【図３】本実施形態におけるテレビジョン受信装置の電力供給源の切り換えを喚起する画面の一例。
【図４】本実施形態におけるテレビジョン受信装置の電力供給源の切り換え手順を示すフローチャート。
【図５】本実施形態におけるテレビジョン受信装置の電力供給源の切り換え喚起画面表示手順を示す第１のフローチャート。
【図６】本実施形態におけるテレビジョン受信装置の電力供給源の切り換え喚起画面表示手順を示す第２のフローチャート。
【発明を実施するための形態】
【００１２】
以下、図面を参照して、実施形態について説明する。
図１は、本実施形態における本実施形態によるテレビジョン受信装置１００の全体構成の代表的な一例を示すブロック図である。
アンテナ１０１は、地上波テレビジョン放送の電波をキャッチすることができ、そのブースター１０２には、電力が供給されている。アンテナ１０１は、アンテナ接続基板１０８を介して、チューナ１１０に接続されることができる。
【００１３】
チューナ１１０は、地上波デジタル放送の中から放送信号の選局を行い、この選局されたチャンネルの放送信号を復調し、所望の番組を含んだトランスポートストリームを得て信号処理器２００に入力する。
【００１４】
チューナ１１０で選択されたチャンネル内に含まれる復調された番組信号は、信号処理器２００に入力される。信号処理器２００は、映像信号処理回路２０１、オーディオ信号処理系２０２を含む。映像信号処理回路２０１は、符号化（エンコード）されている映像信号を元のベースバンドの映像信号に復号化（デコード）する。符号化・復号化方式は、例えばＭＰＥＧ（Ｍｏｖｉｎｇ  Ｐｉｃｔｕｒｅ  Ｅｘｐｅｒｔｓ  Ｇｒｏｕｐ）、Ｈ．２６４／ＡＶＣ（Ａｄｖａｎｃｅｄ  Ｖｉｄｅｏ  Ｃｏｄｉｎｇ）などの方式がある。映像信号処理回路２０１から出力されるベースバンドの映像信号が、表示器３００に供給される。
【００１５】
オーディオ信号処理回路２０２は、番組信号からオーディオストリームを取り出し復号する。復号されたオーディオ信号は、デジタルアナログ変換器２０３にてアナログ信号に変換されて、スピーカ２０４に供給される。図の例は、ヘッドホーンを示しているがヘッドホーンに限定されるものではなく、据え置き型のスピーカであってもよい。
【００１６】
信号処理器２００は、制御ブロック４００の制御の元で、外部機器との接続が可能である。例えばＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）２０５を介して、外部の情報記録再生装置、例えば光ディスク（ＤＶＤ、ＢＤ（登録商標）など）記録再生装置と接続されることが可能である。従って、信号処理器２００は、外部の情報記録再生装置からの再生信号を受け取り、表示出力のための信号処理、オーディオ出力のための信号処理を行うことができる。また、外部の情報記録再生装置に向けて、記録のための信号を伝送することが可能である。
【００１７】
また、信号処理器２００は、制御ブロック４００の制御の元で、ＵＳＢ（Ｕｎｉｖｅｒｓａｌ  Ｓｅｒｉａｌ  Ｂｕｓ）２０６を介して、ハードディスクドライブ（ＨＤＤ）２０７との接続も可能である。このハードディスクドライブ２０７は、バッテリ２０８を搭載しており、停電時には、例えば２−３時間程度の自力ドライブが可能である。また制御信号に基づいて他のブロックへの電源供給も可能である。
【００１８】
制御ブロック４００は、基本機能部４０１と、ピークシフト制御部４０２と、タイマ４０３とを有する。
基本制御部４０１は、外部或いは内部の状態信号、或いは外部からの操作信号に応答して、テレビジョン受信装置１００内のブロックの状態を制御する。例えば、基本機能部４０１は、信号処理器２００における信号処理状態を制御することができ、自動或いは手動に関わらず、設定された条件に応じてカラー調整、輝度調整、電源の部分シャットオフなどを制御することも可能である。また、基本機能部４０１は表示状態の制御を可能であり、表示器３００のバックライトの調整、バックライトの照明エリアの制御行うことができ、さらにまた映像信号の輝度制御、拡大縮小制御、さらには表示位置の移動制御などを行うことができる。
【００１９】
また、基本機能部４０１は、リモートコントローラ７００から送信された操作信号が、リモートコントローラ信号受信器４５５を介して入力したとき前記操作信号を解析し、解析した結果に応じて、テレビジョン受信装置の動作状態を制御する。動作状態としては、主電源のオンオフなどを行う。なお操作信号は、リモートコントローラ受信器４５５からだけでなく、手動操作部４５６からも入力することができる。手動操作部４５６がユーザにより操作されると、操作信号が基本機能部４０１により解析される。
【００２０】
ピークシフト制御部４０２は、リモートコントローラ７００からピークシフト指示を受信すると、電源出力回路５００を制御し、テレビジョン受信装置１００の電源使用状態を、商用電源使用状態からバッテリ電源使用状態に切り換える。即ち、ピークシフト制御部４０２は、電源出力回路５００内のスイッチ５０２の接続先をＡＣアダプタ５２２からバッテリ５３３に切り換える。
【００２１】
ＲＡＭ（Ｒａｎｄｏｍ  Ａｃｃｅｓｓ  Ｍｅｍｏｒｙ）４５１は、各種プログラムが展開される、いわゆるワーキングメモリである。書き込み読出しが可能なメモリであればよく、不揮発性メモリなどである。またＲＡＭ４５１には、オンスクリーンディスプレイ（ＯＳＤ）のための各種のデータ（アイコン、警告文字情報、チャンネル番号など）が格納されていてもよいことは勿論である。また、本実施形態において、ＲＡＭ４５１は、ピークシフト指示のあった時刻情報であるピークシフト履歴情報４５３を格納する。
【００２２】
また、制御ブロック４００には、リードオンリーメモリ（ＲＯＭ）４５２が接続されており、ＲＯＭ４５２には、例えば、テレビジョン受信装置で利用される各種のソフトウェアが格納されている。ソフトウェアは、テレビジョン受信装置が動作するとき、例えばＲＡＭ４５１に展開されて、操作信号や指令信号に応じて動作手順を実行する。
【００２３】
次に、電源系統について説明する。プラグ５５１から取り込まれる商用交流電源が、ＡＣアダプタ５５２で整流されて電源出力回路５００に入力される。電源出力回路５００は、アダプタ５５２の出力を用いて各種直流電圧に変換している。ＡＣアダプタ場ない場合は、電源出力回路５００は、商用交流電源を整流して、種々の値の直流電圧を生成することができる。また電源出力回路５００は、バッテリ５５３からの電源を取り込むことができる。電源出力回路５００はバッテリ５５３からの直流電圧をＤＣ／ＤＣ変換器５０１で変換し、種々の値の直流電圧を生成することができる。
【００２４】
電源出力回路５００は、ピークシフト制御部４０２の制御の元で、テレビジョン受信装置の電源使用状態を、商用電源（外部電源）使用状態、バッテリ電源使用状態に切り替わることができる。この電源使用状態は、スイッチ５０２がピークシフト制御部４０２により制御されることで切り替わることができる。換言すると、ピークシフト制御部４０２は、テレビジョン受信装置１００への電力供給源をバッテリ５５３または外部電源に切り換える。
【００２５】
図２は、本実施形態におけるテレビジョン受信装置１００の電力供給源の切り換えを説明する図である。
まず、リモートコントローラ７００は、ユーザ操作に応じて、ピーククシフト指示信号をリモートコントローラ信号受信器４５５に送信する。リモートコントローラ信号受信器４５５は、受信したピークシフト指示信号をピークシフト制御部４０２に入力する。ピークシフト制御部４０２は、ピークシフト指示信号を受信した時刻をタイマ４０３から取得し、ピークシフト履歴情報４５３としてＲＡＭ４５１に格納する。
【００２６】
ピークシフト制御部４０２は、タイマ４０３から定期的に時刻を取得し、ＲＡＭ４５１内のピークシフト履歴情報４５３と比較を行う。ピークシフト制御部４０２は、ピークシフト履歴情報４５３に記憶している時刻の所定時間前になると、ピークシフト喚起表示を行う。ピークシフト制御部４０２は、この所定時間を記憶しておく。所定時間は、初期設定されているとしても良いしユーザが変更可能としても良い。
【００２７】
ピークシフト制御部４０２は、ピークシフト履歴情報４５３から所定時間前になった際、ピークシフト中でない場合は、電源出力回路５００に電源切換指示信号を出力する。即ち、ピークシフト制御部４０２は、電源出力回路５００内のスイッチ５０２の接続先をＡＣアダプタ５２２からバッテリ５３３に切り換える。換言すると、テレビジョン受信装置１００の各部への電力供給源を外部電源からバッテリ５３３に切り換える。
【００２８】
また、ピークシフト制御部４０２は、基本機能部４０１へ省電力動作指示信号を出力しても良い。基本機能部４０１は、受信した省電力動作指示信号に基づいて、テレビジョン受信装置１００の各部を省電力制御する。例えば、基本機能部４０１は、表示器３００の輝度を低下させたり、バックライトの照明エリアを縮小させたりすることで省電力制御を行う。
【００２９】
図３は、本実施形態におけるテレビジョン受信装置１００の電力供給源の切り換えを喚起する画面の一例である。ピークシフト喚起画面３０１には、ピークシフト指示ボタン３０２と、表示を閉じることを指示するボタン３０３とが選択可能に表示される。ピークシフト制御部４０２は、表示器３００にピークシフト履歴情報４５３の時刻から所定時間内になると、ピークシフト喚起画面３０１を出力させる。ユーザは、リモートコントローラ７００を操作することで、ピークシフト指示ボタン３０２と表示を閉じるボタン３０３とを選択する。また、ピークシフト制御部４０２は、ピークシフト喚起画面３０１の表示を一定時間表示後に自動的に終了する。
【００３０】
ピークシフト指示ボタン３０２が選択されるとピークシフト制御部４０２は、電力供給源をバッテリ５３３に切り換える。また、更に、ピークシフト制御部４０２は基本機能部４０１に省電力動作指示信号を出力することで、テレビジョン受信装置１００の各部を省電力動作に切り換えるとしても良い。
【００３１】
一方、ピークシフト制御部４０２は、表示を閉じるボタン３０３が選択されると、電力供給源を切り換えることなく、ピークシフト喚起画面３０１を閉じる。言い換えると、ピークシフト制御部４０２は、表示を閉じるボタン３０３が選択されると、電力供給源を外部電源とする旨が選択されたとみなす。
【００３２】
図４は、本実施形態におけるテレビジョン受信装置１００の電力供給源の切り換え手順を示す第１のフローチャートである。第１のフローチャートは、テレビジョン受信装置１００において、初回のピークシフト指示を受信した場合及びピークシフト履歴情報４５３が記憶されていない場合の電力供給源の切り換え手順を説明するものである。
【００３３】
まず、ピークシフト制御部４０２は、リモートコントローラ信号受信器４５５からピークシフト指示信号を受信したか否かを判別する（ステップＳ１０１）。ステップＳ１０１で判別した結果、ピークシフト指示信号を受信していないと判別した場合（ステップＳ１０１のＮｏ）、ステップＳ１０１に遷移する。一方、ステップＳ１０１で判別した結果、ピークシフト指示信号を受信したと判別した場合（ステップＳ１０１のＹｅｓ）、次に、ピークシフト制御部４０２は、ピークシフト指示信号を受信した時刻情報をタイマ４０３から取得し、ピークシフト履歴情報４５３として格納する（ステップＳ１０２）。
【００３４】
次に、ピークシフト制御部４０２は、電源出力回路５００へ電力供給源切換指示信号を出力する（ステップＳ１０３）。次に、ピークシフト制御部４０２は、基本機能部４０１に省電力動作指示信号を出力し、各部を省電力動作に移行させる（ステップＳ１０４）。以上で、初回のピークシフト指示を受信した場合及びピークシフト履歴情報４５３が記憶されていない場合の電力供給源の切り換え手順は終了である。
【００３５】
以上の説明においては、ピークシフト履歴情報４５３を、ピークシフト指示信号を受信した時刻としたがこれに限定されることはない。ピークシフト履歴情報４５３を、電力供給源をバッテリ５５３に実際に切り換えた時刻情報としても良い。即ち、ピークシフト制御部４０２は、バッテリ駆動開始時刻に基づいて、ピークシフト喚起画面３０１を表示するとしても良い。
【００３６】
図５は、本実施形態におけるテレビジョン受信装置１００の電力供給源の切り換え喚起画面３０１表示手順を示す第１のフローチャートである。図５に示す第１の実施形態においては、前回ピークシフト指示を行った時刻を記憶しておくことでピークシフト喚起画面３０１を表示する。
【００３７】
まず、ピークシフト制御部４０２は、タイマ４０３から取得した現在の時刻情報と、ピークシフト履歴情報４５３に記憶されている時刻情報とを比較する（ステップＳ２０１）。次に、ピークシフト制御部４０２は、現在時刻と、ピークシフト履歴情報４５３に記憶されている時刻情報とが、所定時間内であるか否かを判別する（ステップＳ２０２）。
【００３８】
ステップＳ２０２で判別した結果、所定時間内でないと判別した場合（ステップＳ２０２のＮｏ）、本電力供給源切り換え喚起画面表示手順を終了する。一方、ステップＳ２０２で判別した結果、所定時間内であると判別した場合（ステップＳ２０２のＹｅｓ）、次に、ピークシフト制御部４０２は、ピークシフト中であるか否かを判別する（ステップＳ２０３）。
【００３９】
ステップＳ２０３で判別した結果、ピークシフト中であると判別された場合（ステップＳ２０３のＹｅｓ）、本電力供給源切り換え喚起画面表示手順を終了する。一方、ステップＳ２０３で判別した結果、ピークシフト中でないと判別された場合（ステップＳ２０３のＮｏ）、次に、ピークシフト制御部４０２は、バッテリ５５３の残量が所定量以上であるか否かを判別する（ステップＳ２０４）。
【００４０】
ステップＳ２０４で判別した結果、バッテリ５５３の残量が所定量以上でないと判別した場合（ステップＳ２０４のＮｏ）、本電力供給源切り換え喚起画面表示手順を終了する。即ち、バッテリ残量が少ない場合には、ピークシフト喚起画面３０１を表示させない。一方、ステップＳ２０４で判別した結果、バッテリ５５３の残量が所定量以上であると判別した場合（ステップＳ２０４のＹｅｓ）、ピークシフト制御部４０２は、ピークシフト喚起画面３０１の表示を行う（ステップＳ２０５）。
【００４１】
次に、ピークシフト制御部４０２は、ピークシフト指示ボタン３０２が選択されたか否かを判別する（ステップＳ２０６）。ステップＳ２０６で判別した結果、ピークシフト指示ボタン３０２が選択されたと判別した場合（ステップＳ２０６のＹｅｓ）、ピークシフト履歴情報４５３を書き換え、ピークシフト喚起画面３０１を閉じる（ステップＳ２０７）。即ち、ピークシフト制御部４０２は、前回のピークシフト指示時刻に基づいて、ピークシフト喚起画面３０１を表示する。一方、ステップＳ２０６で判別した結果、ピークシフト指示ボタン３０２が選択されないと判別した場合（ステップＳ２０６のＮｏ）、次に、ピークシフト制御部４０２は、表示を閉じるボタン３０３が選択されたか否かを判別する（ステップＳ２０８）。
【００４２】
ステップＳ２０８で判別した結果、表示を閉じるボタン３０３が選択されたと判別した場合（ステップＳ２０８のＹｅｓ）、ピークシフト制御部４０２は、ピークシフト履歴情報４５３を削除する（ステップＳ２０９）。即ち、ピークシフト制御部４０２は、ピークシフト喚起画面３０１を表示した場合にピークシフトが指示されなければ、ピークシフト履歴情報４５３を削除するため、再度ピークシフト画面３０１を表示することはしない。このようにすることで、同じ時刻になるたびに繰り返しピークシフト画面３０１が表示されることにより、ピークシフトを所望しないユーザに表示を消す手間をかけることを防ぐ。ピークシフト履歴情報４５３が削除されると、ステップＳ１０１に遷移する。
【００４３】
一方、ステップＳ２０８で判別した結果、表示を閉じるボタン３０３が選択されないと判別した場合（ステップＳ２０８のＹｅｓ）、ピークシフト制御部４０２は、ピークシフト喚起画面３０１を表示してから一定時間が経過したか否かを判別する（ステップＳ２１０）。ステップＳ２１０で判別した結果、一定時間が経過していないと判別した場合（ステップＳ２１０のＮｏ）、ステップＳ２１０に遷移する。一方、ステップＳ２１０で判別した結果、一定時間が経過したと判別した場合（ステップＳ２１０のＹｅｓ）、ステップＳ２０９に遷移する。即ち、ピークシフト指示ボタン３０１及び表示を閉じるボタン３０３の何れも選択されずに一定時間が経過すると、ピークシフトが選択されなかったとみなし、ピークシフト画面３０１を閉じると共に、ピークシフト履歴情報４５３を削除する。ピークシフト履歴情報４５３が削除されると、ステップＳ１０１に遷移する。
【００４４】
ステップＳ２０７でピークシフト履歴情報４５３を書き換えた後、ピークシフト制御部４０２は、電源出力回路５００へ電力供給源切換指示信号を出力する（ステップＳ２１１）。次に、ピークシフト制御部４０２は、基本機能部４０１に省電力動作指示信号を出力し、各部を省電力動作に移行させる（ステップＳ２１２）。本電力供給源切り換え喚起画面表示手順を終了する。
【００４５】
以上のように構成される第１の実施形態によれば、前回ピークシフトが指示された時刻情報に基づいて、ピークシフトを喚起する画面が表示される。従って、ユーザがピークシフトを指示することを失念している場合にも、自動的に出力されるピークシフトを喚起する画面上のボタンを選択することで容易にピークシフトを指示することができる。また、ピークシフト喚起画面において、ピークシフト指示が選択されなかった場合や、ピークシフト喚起画面が閉じられた場合には、ピークシフト履歴情報を削除することで、ピークシフト喚起画面が繰り返し表示されることを防止する。
【００４６】
図６は、第２の本実施形態を説明するための、テレビジョン受信装置１００の電力供給源の切り換え手順を示す第２のフローチャートである。第１の実施形態においては、前回のピークシフト動作を実行した時刻を参照してピークシフト喚起画面３０１を表示させた。第２の実施形態においては、過去のピークシフト指示信号を受信した時刻に加えて曜日情報を併せて記憶しておくことで、同じ曜日にピークシフト喚起画面３０１を表示する。
【００４７】
第２の実施形態においては、ピークシフト制御部４０２は、リモートコントローラ信号受信器４５５からピークシフト指示信号を受信した場合に、ピークシフト指示信号を受信した時刻情報に加えて、曜日情報も併せてタイマ４０３から取得してピークシフト履歴情報４５３として格納する。
【００４８】
まず、ピークシフト制御部４０２は、タイマ４０３から取得した曜日及び時刻情報と、ピークシフト履歴情報４５３に記憶されている曜日及び時刻情報とを比較する（ステップＳ３０１）。次に、ピークシフト制御部４０２は、当日の曜日と、ピークシフト履歴情報４５３に記憶されている曜日情報とが、同じ曜日でありかつ時刻が所定時間内であるか否かを判別する（ステップＳ３０２）。ここで、ピークシフト制御部４０２は、ピークシフト履歴情報４５３に複数の曜日及び時刻情報が記憶されている場合には、時刻の新しいものから順に選択していく。
【００４９】
ステップＳ３０２で判別した結果、当日の曜日と、ピークシフト履歴情報４５３に記憶されている曜日情報とが、同じ曜日でありかつ時刻が所定時間内でないと判別した場合（ステップＳ３０２のＮｏ）、本電力供給源切り換え喚起画面表示手順を終了する。一方、ステップＳ３０２で判別した結果、当日の曜日と、ピークシフト履歴情報４５３に記憶されている曜日情報とが、同じ曜日でありかつ時刻が所定時間内であると判別した場合（ステップＳ３０２のＹｅｓ）、次に、ピークシフト制御部４０２は、ピークシフト中であるか否かを判別する（ステップＳ３０３）。
【００５０】
ステップＳ３０３で判別した結果、ピークシフト中であると判別された場合（ステップＳ３０３のＹｅｓ）、本電力供給源切り換え喚起画面表示手順を終了する。一方、ステップＳ３０３で判別した結果、ピークシフト中でないと判別された場合（ステップＳ３０３のＮｏ）、ピークシフト制御部４０２は、バッテリ５５３の残量が所定量以上であるか否かを判別する（ステップＳ３０４）。ステップＳ３０４で判別した結果、バッテリ５５３の残量が所定量以上でないと判別した場合（ステップＳ３０４のＮｏ）、本電力供給源切り換え喚起画面表示手順を終了する。一方、ステップＳ３０４で判別した結果、バッテリ５５３の残量が所定量以上であると判別した場合（ステップＳ３０４のＹｅｓ）、ピークシフト制御部４０２は、ピークシフト喚起画面３０１の表示を行う（ステップＳ３０５）。
【００５１】
次に、ピークシフト制御部４０２は、ピークシフト指示ボタン３０２が選択されたか否かを判別する（ステップＳ３０６）。ステップＳ３０６で判別した結果、ピークシフト指示ボタン３０２が選択されたと判別した場合（ステップＳ３０６のＹｅｓ）、ピークシフト履歴情報４５３に曜日及び日時情報を追加して記憶し、ピークシフト喚起画面３０１を閉じる（ステップＳ３０７）。一方、ステップＳ３０６で判別した結果、ピークシフト指示ボタン３０２が選択されないと判別した場合（ステップＳ３０６のＮｏ）、次に、ピークシフト制御部４０２は、表示を閉じるボタン３０３が選択されたか否かを判別する（ステップＳ３０８）。ステップＳ３０８で判別した結果、表示を閉じるボタン３０３が選択されたと判別した場合（ステップＳ３０８のＹｅｓ）、本電力供給源切り換え喚起画面表示手順を終了する。
【００５２】
ステップＳ３０８で判別した結果、表示を閉じるボタン３０３が選択されないと判別した場合（ステップＳ３０８のＮｏ）、ピークシフト制御部４０２は、ピークシフト画面３０１を表示してから一定時間が経過したか否かを判別する（ステップＳ３０９）。ステップＳ３０９で判別した結果、一定時間が経過していないと判別した場合（ステップＳ３０９のＮｏ）、ステップＳ３０９に遷移する。一方、ステップＳ３０９で判別した結果、一定時間が経過したと判別した場合（ステップＳ３０９のＹｅｓ）、本電力供給源切り換え喚起画面表示手順を終了する。即ち、ピークシフト指示ボタン３０１及び表示を閉じるボタン３０３の何れも選択されずに一定時間が経過すると、ピークシフトが選択されなかったとみなし、ピークシフト画面３０１を閉じる。
【００５３】
ステップＳ３０７でピークシフト履歴情報４５３を追加して記憶した後、ピークシフト制御部４０２は、電源出力回路５００へ電力供給源切換指示信号を出力する（ステップＳ３１０）。次に、ピークシフト制御部４０２は、基本機能部４０１に省電力動作指示信号を出力し、各部を省電力動作に移行させる（ステップＳ３１１）。本電力供給源切り換え喚起画面表示手順を終了する。
【００５４】
以上の説明においては、ピークシフト制御部４０２は、ピークシフト履歴情報４５３に複数の曜日及び時刻情報が記憶されている場合には、時刻の新しいものから順に選択していくとしたが、これに限定されることはない。例えば、ピークシフト制御部４０２は、同じ曜日の複数の時刻情報の平均を保持して、その曜日の時刻情報としても良い。
【００５５】
また、ステップＳ３０２で同じ曜日であるか否かを判別するとしたが、これに限定されることはない。例えば、現在日時と同じ属性（平日または休日）であるかを判別するとしても良い。この場合、ピークシフト制御部４０２は、平日と休日とでグループ分けし、各グループにおいてピークシフト指示の時刻情報の平均を時刻情報として保持しておく。または、各グループにおいて、最新のピークシフト指示の時刻情報を保持しておくとしても良い。
【００５６】
他の変形例として、ピークシフト制御部４０２は、タイマ４０３から更に日付情報を取得するとしても良い。ピークシフト制御部４０３は、日付情報に基づいて３カ月ごとに時刻情報の平均を算出することで、季節毎に平均された時刻においてピークシフト喚起画面３０１を出力するとしても良い。
【００５７】
以上のように構成される第２の実施形態によれば、ピークシフトが指示された時刻情報及び曜日・日付情報の履歴に基づいて、ピークシフトを喚起する画面が表示される。従って、ユーザがピークシフトを指示することを失念している場合にも、自動的に出力されるピークシフトを喚起する画面上のボタンを選択することで容易にピークシフトを指示することができる。第２の実施形態においては、曜日及び日時情報を蓄積して保持することで、曜日や、属性（平日または休日）や、季節に応じて、ピークシフト喚起画面が出力される。例えば、ピークシフト喚起画面３０１においてピークシフト指示を行わなかった場合であっても、ピークシフト履歴情報４５３には過去の曜日及び日時情報が蓄積して格納されているため、繰り返しピークシフト喚起画面を出力することができ、より多くピークシフトを喚起することができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１００…テレビジョン受信装置、１１０…チューナ、２００…信号処理器、３００…表示器、４００…制御ブロック、５００…電源回路、５５２…ＡＣアダプタ、５５３…バッテリ、７００…リモートコントローラ。
【図１】
2013076788.tif 000003
【図２】
2013076788.tif 000004
【図３】
2013076788.tif 000005
【図４】
2013076788.tif 000006
【図５】
2013076788.tif 000007
【図６】
2013076788.tif 000008